(57)【特許請求の範囲】
【請求項１】
時分割スイッチの前段と後段でＩＳＤＮのＤチャネルを終端可能な交換機システムにおけるＩＰトラヒック輻輳回避方法であって、前記時分割スイッチの前段でＩＳＤＮのＤチャネルを終端することにより、後段でＤチャネルを終端するために予め確保されている交換機内通話路回線の後段Ｄチャネル領域に対してインターネット加入者のデータ呼を割り当てることを特徴とするＩＰトラヒック輻輳回避方法。
【請求項２】
インターネット・サービス・プロバイダ（以下ＩＳＰ）に接続する際に、アクセス・ポイントへの着信番号を解析し、該着信番号がＩＳＰの電話番号と判定した場合は、前記後段Ｄチャネル領域をインターネット加入者のデータ呼のチャネル領域として固定的に割り当てることを特徴とする請求項１記載のＩＰトラヒック輻輳回避方法。
【請求項３】
前記データ呼が少なくて前記後段Ｄチャネル領域が空いており、かつ電話加入者の音声呼が前記交換機内通話路回線の通話信号チャネル領域を超える場合には、該超える範囲の前記音声呼を前記後段Ｄチャネル領域の空き領域に割り当てることを特徴とする請求項１または２記載のＩＰトラヒック輻輳回避方法。
【請求項４】
前記電話加入者の音声呼が少なくて前記交換機内通話路回線の通話信号チャネル領域が空いており、かつ前記データ呼が前記後段Ｄチャネル領域を超える場合には、該超える範囲の前記データ呼を前記交換機内通話路回線の通話信号チャネル領域に割り当てることを特徴とする請求項１または２記載のＩＰトラヒック輻輳回避方法。
【請求項５】
各加入者からの音声呼およびデータ呼をそれぞれ終端する加入者回路と該加入者回路からの通話信号を集線する集線回路と該集線回路の集線制御を行う制御プロセッサを有する加入者回路装置と、前記集線回路で集線された通話信号が交換機内通話路回線を介して入力される時分割スイッチと、前記集線回路に制御路を介して接続されＩＳＤＮのＤチャネルを前記時分割スイッチの前段で終端する前段Ｄチャネル終端装置と、前記時分割スイッチに制御路を介して接続されＩＳＤＮのＤチャネルを前記時分割スイッチの後段で終端する後段Ｄチャネル終端装置と、前記時分割スイッチに接続された中央処理装置とからなる交換機システムにおいて、
前記制御プロセッサ及び前記中央処理装置は、前記通話信号を集線する集線回路においてＤチャネルを抽出し、該抽出したＤチャネルを前記制御路を介して前記前段Ｄチャネル終端装置で終端するとともに、前記通話信号を解析し、該通話信号が前記加入者からの音声呼の場合は前記交換機内通話路回線の通話信号チャネル領域に割り当て、前記加入者からのデータ呼の場合は前記交換機内通話路回線の前記後段Ｄチャネル終端装置用に確保されている領域に割り当てる制御を行う機能を有していることを特徴とする交換機システム。
【請求項６】
前記制御プロセッサ及び前記中央処理装置は、前記データ呼が少なくて前記後段Ｄチャネル領域が空いており、かつ電話加入者の音声呼が前記交換機内通話路回線の通話信号チャネル領域を超える場合には、該超える範囲の前記音声呼を前記後段Ｄチャネル領域の空き領域に割り当てる制御を行う機能を有していることを特徴とする請求項５記載の交換機システム。
【請求項７】
前記制御プロセッサ及び前記中央処理装置は、前記電話加入者の音声呼が少なくて前記交換機内通話路回線の通話信号チャネル領域が空いており、かつ前記データ呼が前記後段Ｄチャネル領域を超える場合には、該超える範囲の前記データ呼を前記交換機内通話路回線の通話信号チャネル領域に割り当てる制御を行う機能を有していることを特徴とする請求項５記載の交換機システム。
【発明の詳細な説明】
【０００１】
【発明の属する技術分野】
本発明は、電話加入者の音声呼とインターネット加入者のデータ呼とを混在して収容する交換機に関し、特に、交換機の時分割通話路前段におけるＩＰトラヒック輻輳回避方法に関する。
【０００２】
【従来の技術】
図１は、電話加入者の音声呼とインターネット加入者のデータ呼とが混在して収容される交換機の例を示しており、１ａ〜１ｎは加入者、２ａ〜２ｎは加入者回路、３は加入者回路装置、４は集線回路、５は交換機内通話路回線、６は時分割スイッチ、７、１０は制御路、８は前段Ｄチャネル終端装置、９は中央処理装置、１１は後段Ｄチャネル終端装置、１２は制御プロセッサである。
【０００３】
加入者回路装置３は、加入者回路２ａ〜２ｎと集線回路４、制御プロセッサ１２で構成されており、加入者１ａ〜１ｎは集線回路４にある加入者回路２ａ〜２ｎで終端されている。
【０００４】
加入者回路２ａ〜２ｎの通話信号は制御プロセッサ１２の制御に基づき、集線回路４で集線され、交換機内通話路回線５から上位の時分割スイッチ６に運ばれる。
【０００５】
集線回路４には、制御路７を介してＩＳＤＮのＤチャネルを時分割スイッチ６の前段で終端する前段Ｄチャネル終端装置８が接続されている。
【０００６】
図３は、電話加入者の音声呼とインターネット加入者のデータ呼とが混在して収容される従来の交換機における音声とデータの通話信号のフローを示す図である。
【０００７】
従来の交換機では、図３に示すように加入者１ａ〜１ｎに対して、電話加入者の音声呼Ｖ１〜Ｖｎ、インターネット加入者のデータ呼Ｄ１〜Ｄｎの混在に対して、収容加入者を区別すること無く、通話信号チャネル領域Ｘ１〜Ｘｎに電話加入者の音声呼Ｖ１〜Ｖｎとインターネット加入者のデータ呼Ｄ１〜Ｄｎを割り当てている。
【０００８】
この従来の交換機において、前段Ｄチャネル終端装置８でＤチャネルを終端した場合、後段Ｄチャネル終端装置１１は未使用となり、この未使用となる後段Ｄチャネル終端装置１１で終端するために確保されている交換機内通話路回線５のＤチャネル領域Ｙ１〜Ｙｎも未使用状態となる。
【０００９】
【発明が解決しようとする課題】
このように従来の方式では、交換機内通話路回線５のＤチャネル領域Ｙ１〜Ｙｎは未使用にもかかわらず、電話加入者の音声呼Ｖ１〜Ｖｎとインターネット加入者のデータ呼Ｄ１〜Ｄｎは通話信号チャネル領域Ｘ１〜Ｘｎの範囲のみに設定されるために、通話信号チャネル領域Ｘ１〜Ｘｎが収容加入者の容量の上限値となる。
【００１０】
交換機は収容加入者として電話加入者の音声呼とインターネット加入者のデータ呼を収容するが、ワールド・ワイド・ウェブ(www)の閲覧などのネット・サーフィンにより、インターネット加入者のデータ呼は長時間回線を保留する場合が多い。
【００１１】
このインターネット加入者のデータ呼Ｄ１〜Ｄｎにより交換機内通話路回線５の通話信号チャネル領域が長時間占有されると、電話加入者の音声呼Ｖ１〜Ｖｎが接続されにくくなり、電話加入者の音声呼の接続などに影響を及ぼす輻輳原因となる。
【００１２】
この輻輳は電話加入者の音声呼とインターネット加入者のデータ呼が区別されずに、全て通話信号として交換機内で扱われることに起因するトラヒック輻輳である。
【００１３】
このような輻輳を回避する方法として、電話加入者の音声呼Ｖ１〜Ｖｎの輻輳回避と同様に、設備の増設により回避する方法が考えられるが、それによるコストの増大は避けられない。
【００１４】
本発明の目的は、設備を増設すること無く、発側交換機の時分割スイッチ６の前段で発生するインターネット加入者からのデータ呼Ｄ１〜Ｄｎによる電話加入者の音声呼Ｖ１〜Ｖｎに対しての輻輳影響を回避する手段を提供することにある。
【００１５】
【課題を解決するための手段】
本発明は、既存交換機システムにおいて、ＩＳＤＮのＤチャネルを終端するハードウェア構成を利用して、発呼加入者に近い発側交換機の時分割スイッチの前段で発生するインターネット加入者のデータ呼による電話加入者の音声呼に対するトラヒック輻輳回避を図ることを特徴としている。
【００１６】
具体的には、時分割スイッチの前段と後段でＩＳＤＮのＤチャネルを終端可能な交換機システムのハードウェア構成において、時分割スイッチの前段でＩＳＤＮのＤチャネルを終端することにより、後段でＤチャネルを終端するために予め確保されている交換機内通話路回線の空きチャネルに対してインターネット加入者のデータ呼を割り当てることを特徴とする。
【００１７】
本願発明では、電話加入者の音声呼とは区別して、インターネット加入者のデータ呼を交換機内通話路の通話信号チャネルでは無く、未使用の空きチャネルに割り当てるため、電話加入者の音声呼に影響を与えること無く、交換機の時分割スイッチの前段で発生する輻輳を回避することができる。
【００１８】
【発明の実施の形態】
図１は、本発明が適用される交換機システムの実施の形態を示すブロック図であり、時分割通話路前段におけるＩＰトラヒック輻輳回避手段を備えている点を除けば、既存の交換機と同様の構成となっている。
【００１９】
即ち、１ａ〜１ｎは加入者、２ａ〜２ｎは加入者回路、３は加入者回路装置、４は集線回路、５は交換機内通話路回線、６は時分割スイッチ、７、１０は制御路、８は前段Ｄチャネル終端装置、９は中央処理装置、１１は後段Ｄチャネル終端装置、１２は制御プロセッサを示す。
【００２０】
加入者回路装置３は加入者回路２ａ〜２ｎと集線回路４、制御プロセッサ１２で構成されており、加入者１ａ〜１ｎは集線回路４にある加入者回路２ａ〜２ｎで終端されている。
【００２１】
加入者回路２ａ〜２ｎの通話信号は制御プロセッサ１２の制御に基づき、集線回路４で集線され、交換機内通話路回線５から上位の時分割スイッチ６に運ばれる。
【００２２】
なお、この集線回路４には制御路７を介してＩＳＤＮのＤチャネルを時分割スイッチ６の前段で終端する前段Ｄチャネル終端装置８が接続されている。
【００２３】
時分割スイッチ６には、中央処理装置９と制御路１０を介してＩＳＤＮのＤチャネルを時分割スイッチ６の後段で終端する後段Ｄチャネル終端装置１１が接続されている。
【００２４】
本発明は、上記構成により、回線を長時間保留するインターネット加入者のデータ呼による電話加入者の音声呼に影響を与える輻輳を制御、回避するシステムを実現する。
【００２５】
次に、図１に基づく本実施形態の動作について説明する。
【００２６】
加入者回路装置３の各加入者回路２ａ〜２ｎに収容される加入者１ａ〜１ｎは集線回路４で集線をされた後に交換機内通話路回線５を介して上位の時分割スイッチ６に送られる。
【００２７】
加入者１ａ〜１ｎには、電話機からの電話加入者の音声呼とパーソナル・コンピュータ等の端末からのインターネット加入者のデータ呼が混在する。
【００２８】
一般に、発呼加入者に近い発側交換機の輻輳としては、時分割スイッチ６の前段で生じる輻輳が挙げられる。これは、前述のように、長時間回線を保留するインターネット加入者のデータ呼が、集線回路４及び集線された後の交換機内通話路回線５を占有することにより、電話加入者の音声呼が上位装置である時分割スイッチ６に接続されにくくなることに起因する。
【００２９】
ＩＳＤＮのＤチャネルを前段Ｄチャネル終端装置８と後段Ｄチャネル終端装置１１で終端できるシステム構成をとる交換機では、後段Ｄチャネル集端装置１１で終端するために交換機内通話路回線５にＤチャネル用のチャネル領域が通話信号チャネル用の領域以外に予め確保されている。
【００３０】
通話信号を集線する集線回路４においてＤチャネルが抽出され、制御路７を介して前段Ｄチャネル終端装置８でＤチャネル信号を終端する場合、時分割スイッチ６の後段にある後段Ｄチャネル終端装置１１で終端する為に交換機内通話路回線５で確保されているＤチャネル用のチャネル領域は未使用状態である。
【００３１】
ＩＳＤＮのＤチャネルを前段Ｄチャネル終端装置８で終端することで、後段Ｄチャネル終端装置１１用に確保されている未使用チャネル領域をインターネット加入者のデータ呼に割り当てて輻輳を回避する本発明の方法は以下の通りである。
【００３２】
加入者１ａ〜１ｎを加入者回路装置３内の制御プロセッサ１２と中央処理装置９において解析した結果、電話加入者と判別した加入者の音声呼は、従来の交換機の動作に従い、交換機内通話路回線５の通話信号チャネル用に確保されている通話信号チャネル領域に集線回路４において割り当てる。
【００３３】
一方、インターネット加入者と判別した加入者のデータ呼は、集線回路４において、後段Ｄチャネル終端装置１１で終端するために交換機内通話路回線５のＤチャネル用に確保されているＤチャネル領域に割り当てる。
【００３４】
上記の方法によって、交換機内通話路回線５の後段Ｄチャネル終端装置１１用の未使用であるＤチャネル領域をインターネット呼に割り当てることより、交換機内通話路回線５の通話信号用に確保されている通話信号チャネル領域を使用せずにインターネット加入者のデータ呼を運ぶことができる。
【００３５】
図２は、図１の構成における音声とデータの通話信号のフローを説明する図である。以下、図２を参照してより詳細に説明する。
【００３６】
図１の加入者１ａ〜１ｎには、図２の電話加入者の音声呼Ｖ１〜Ｖｎ、インターネット加入者のデータ呼Ｄ１〜Ｄｎが混在する。
【００３７】
交換機内通話路回線５には通話信号の為に確保されている通話信号チャネル領域Ｘ１〜Ｘｎ、後段Ｄチャネル終端装置１１でＤチャネルを終端する為に確保されているＤチャネル領域Ｙ１〜Ｙｎが存在する。
【００３８】
図１の制御プロセッサ１２と中央処理装置９による解析、制御によって、電話加入者の音声呼Ｖ１〜Ｖｎは交換機内通話路回線５の通話信号用に確保されている通話信号チャネル領域Ｘ１〜Ｘｎに割り当てられる。
【００３９】
一方、インターネット加入者のデータ呼Ｄ１〜Ｄｎは、ＩＳＤＮのＤチャネルを前段Ｄチャネル終端装置８で終端する場合に未使用となる後段Ｄチャネル終端装置１１でＤチャネルを終端する為に割り当てられているＤチャネル領域Ｙ１〜Ｙｎに割り当てられる。
【００４０】
前述の制御、未使用チャネルの活用により、電話加入者の音声呼Ｖ１〜Ｖｎに影響を及ぼすインターネット加入者のデータ呼Ｄ１〜Ｄｎによる輻輳を回避することができる。
【００４１】
本実施形態では、図１の制御プロセッサ１２と中央処理装置９で解析して、図２に示すように電話加入者の音声呼Ｖ１〜Ｖｎは通話信号チャネル領域Ｘ１〜Ｘｎに、インターネット加入者のデータ呼Ｄ１〜Ｄｎは未使用のＤチャネル領域Ｙ１〜Ｙｎ領域に分配することで、交換機内の交換機内通話路回線５に固定的に割り当てる輻輳回避方法となっている。
【００４２】
この解析方法に関する実施例として、インターネット・サービス・プロバイダ（以下ＩＳＰ）に接続する場合に、リモート・アクセス・サーバなどのアクセス・ポイントへの着信番号を解析して、着信番号がＩＳＰの電話番号と判定した場合は、本来のＩＳＤＮのＤチャネル領域Ｙ１〜Ｙｎをインターネット加入者のデータ呼Ｄ１〜Ｄｎのチャネル領域として固定的に割り当てていく方法がある。
【００４３】
本方式では、Ｄチャネル領域Ｙ１〜Ｙｎ領域に、インターネット加入者のデータ呼Ｄ１〜Ｄｎが固定的に割り当てられていく方式のため、電話加入者の音声呼Ｖ１〜Ｖｎが通話信号チャネル領域Ｘ１〜Ｘｎの範囲より多く、インターネット加入者のデータ呼Ｄ１〜ＤｎがＤチャネル領域Ｙ１〜Ｙｎの範囲より少ない場合においては、電話加入者の音声呼は通話信号チャネル領域Ｘ１〜Ｘｎに制限されるため、Ｄチャネル領域Ｙ１〜Ｙｎ領域が空いている場合でも破棄される。
【００４４】
本発明の他の実施形態として、解析の仕方や設定によりＤチャネル領域Ｙ１〜Ｙｎが空いている場合には、電話加入者の音声呼Ｖ１〜Ｖｎが通話信号チャネル領域Ｘ１〜Ｘｎを超える範囲の呼については、Ｄチャネル領域Ｙ１〜Ｙｎに割り当てることにより、交換機内通話路回線５の回線使用のより一層の効率化を図ることができる。
【００４５】
また、同様にインターネット加入者のデータ呼Ｄ１〜Ｄｎが多く、電話加入者による電話呼が少ない場合にはインターネット加入者のデータ呼がＤチャネル領域Ｙ１〜Ｙｎを超える範囲の呼については、空いている通話信号チャネル領域Ｘ１〜Ｘｎに割り当てることにより、交換機内通話路回線５の回線使用の効率化を図ることができる。
【００４６】
【発明の効果】
本発明によれば、交換機内通話路回線上に予め確保されている未使用状態のＩＳＤＮのＤチャネル領域を回線保留時間の長いインターネット加入者のデータ呼に割り当てることにより、通話信号用のチャネルを使用せず、インターネット加入者のデータ呼を運ぶことができる。
【００４７】
そのため電話加入者の音声呼とインターネット加入者のデータ呼の判別による交換機内通話路回線の未使用チャネルの効率的な使用により、発側交換機の時分割スイッチの前段における電話加入者の音声呼に対するインターネット加入者のデータ呼による輻輳を回避することが可能となる。
【図面の簡単な説明】
【図１】本発明が適用される交換機のブロック図である。
【図２】本発明の実施の形態における音声とデータの通話信号のフローを示す図である。
【図３】従来例における音声とデータの通話信号のフローを示す図である。
【符号の説明】
１ａ〜１ｎ    加入者
２ａ〜２ｎ    加入者回路
３    加入者回路装置
４    集線回路
５    交換機内通話路回線
６    時分割スイッチ
７，１０    制御路
８    前段Ｄチャネル終端装置
９    中央処理装置
１１    後段Ｄチャネル終端装置
１２    制御プロセッサ
【図１】
0003664300.tif 000002
【図２】
0003664300.tif 000003
【図３】
0003664300.tif 000004